(57)【特許請求の範囲】
【請求項１】
外形が、同じ形状に成形された左シート据付けレール型インナー・フロア・ブラケットおよび右シート据付けレール型アウター・フロア・ブラケットと、左シート据付けレール型アウター・フロア・ブラケットおよび右シート据付けレール型インナー・フロア・ブラケット、
レール長さ方向で互いに同じ位置に位置決め穴を明けた前記左および右シート据付けレール型インナー・フロア・ブラケット、
前記レール長さ方向においてその左および右シート据付けレール型インナー・フロア・ブラケットのその位置決め穴からずらされて互いに同じ位置に位置決め穴を明けた前記左および右シート据付けレール型アウター・フロア・ブラケット、
から構成されるところの左右のシートのフロア据付けに用いるフロア・ブラケット・セット。
【請求項２】
前記左および右シート据付けレール型インナー・フロア・ブラケットの前後に穴明けされるフロア締付け穴は、前記左および右シート据付けレール型アウター・フロア・ブラケットの前後に穴明けされるフロア締付け穴に対して、小さく穴明けされる請求項1に記載の左右シートのフロア据付けに用いるフロア・ブラケット・セット。
【発明の詳細な説明】
【技術分野】
【０００１】
この発明は、左右シートのフロア据付けに用いるフロア・ブラケット・セットに関し、詳細には、組立て時、誤組付けを防止するフロア・ブラケット・セットの改善に関する。
【背景技術】
【０００２】
自動車のリア・シート、特に、バンやワゴンのリア・シートでは、左右のシートがそれぞれ左右のレール型インナーおよびアウター・フロア・ブラケットでボディ・フロアに据え付けられるのが一般的である。
その場合、左シート据付けレール型インナー・フロア・ブラケットおよび右シート据付けレール型アウター・フロア・ブラケットと、左シート据付けレール型アウター・フロア・ブラケットおよび右シート据付けレール型インナー・フロア・ブラケットとで外形が、同じ形状で鋼板から成形されるので、組立て時、誤組付けパターンが発生して作業性が非常に悪い。
【先行技術文献】
【特許文献】
【０００３】
実開平６−５７７７８公報
【発明の概要】
【発明が解決しようとする課題】
【０００４】
この発明の課題は、組立て時、組付けを簡単にでき、誤組付けを防止できてその作業性を向上させ、そして、据付け作業を簡単にできてその作業性も向上するところの左右シートのフロア据付けに用いるフロア・ブラケット・セットを提供するにある。
【課題を解決するための手段】
【０００５】
この発明の左右シートのフロア据付けに用いるフロア・ブラケット・セットは、外形が、同じ形状に成形された左シート据付けレール型インナー・フロア・ブラケットおよび右シート据付けレール型アウター・フロア・ブラケットと、左シート据付けレール型アウター・フロア・ブラケットおよび右シート据付けレール型インナー・フロア・ブラケット、
レール長さ方向で互いに同じ位置に位置決め穴を明けた前記左および右シート据付けレール型インナー・フロア・ブラケット、
前記レール長さ方向においてその左および右シート据付けレール型インナー・フロア・ブラケットのその位置決め穴からずらされて互いに同じ位置に位置決め穴を明けた前記左および右シート据付けレール型アウター・フロア・ブラケット、から構成される。
【発明の効果】
【０００６】
この発明の左右シートのフロア据付けに用いるフロア・ブラケット・セットでは、外形が、同じ形状に成形された左シート据付けレール型インナー・フロア・ブラケットおよび右シート据付けレール型アウター・フロア・ブラケットと、左シート据付けレール型アウター・フロア・ブラケットおよび右シート据付けレール型インナー・フロア・ブラケット、
レール長さ方向で互いに同じ位置に位置決め穴を明けた前記左および右シート据付けレール型インナー・フロア・ブラケット、
前記レール長さ方向においてその左および右シート据付けレール型インナー・フロア・ブラケットのその位置決め穴からずらされて互いに同じ位置に位置決め穴を明けた前記左および右シート据付けレール型アウター・フロア・ブラケット、
から構成されるので、組立て時、組付けが簡単になって誤組付けが防止され、その作業性が向上され、そして、据付け作業が簡単になってその作業性も向上される。
【図面の簡単な説明】
【０００７】
【図１】バンのサード・シートに活用されるところのこの発明の左右シートのフロア据付けに用いるフロア・ブラケット・セットの具体例を示した斜視図である。
【図２】そのフロア・ブラケット・セットを据付け配置状態で示した平面図である。
【発明を実施するための形態】
【０００８】
この発明の左右シートのフロア据付けに用いるフロア・ブラケット・セットは、  外形が、同じ形状に成形された左シート据付けレール型インナー・フロア・ブラケットおよび右シート据付けレール型アウター・フロア・ブラケットと、左シート据付けレール型アウター・フロア・ブラケットおよび右シート据付けレール型インナー・フロア・ブラケット、
レール長さ方向で互いに同じ位置に位置決め穴を明けた前記左および右シート据付けレール型インナー・フロア・ブラケット、
前記レール長さ方向においてその左および右シート据付けレール型インナー・フロア・ブラケットのその位置決め穴からずらされて互いに同じ位置に位置決め穴を明けた前記左および右シート据付けレール型アウター・フロア・ブラケット、から構成される。
【０００９】
そして、前記左および右シート据付けレール型インナー・フロア・ブラケットの前後に穴明けされるフロア締付け穴は、前記左および右シート据付けレール型アウター・フロア・ブラケットの前後に穴明けされるフロア締付け穴に対して、小さく穴明けされるのが望ましい。
【実施例１】
【００１０】
以下、特定されて図示された具体例に基づいて、この発明の左右シートのフロア据付けに用いるフロア・ブラケット・セットを説明するに、図1および図２は、バンのサード・シート２０に活用されるところのこの発明の左右シートのフロア据付けに用いるフロア・ブラケット・セットの具体例１０を示し、そして、そのサード・シート２０は、荷物載せに活用できるように左シート２１および右シート（図示せず）で構成され、そして、その左シート２１が、シート・クッション２２、シート・バック２３、およびヘッドレスト２４などで組み立てられ、また、その右シートもその左シート２１同様に、シート・クッション（図示せず）、シート・バック（図示せず）、およびヘッドレスト（図示せず）などで組み立てられ、そして、その左シート２１およびその右シートが、そのフロア・ブラケット・セット１０を用いてそのバンのボディ・フロアに据え付けられる。
【００１１】
その左シート２１では、そのシート・バック２３が左右のＬ字形ヒンジ・ブラケット２５、２６でそのシート・クッション２２にヒンジ結合されて支持され、そして、左右のリクライニング・デバイス２７、２８でそのフロア・ブラケット・セット１０の左シート据付けレール型インナーおよびアウター・フロア・ブラケット・セット１１、１２に連結されてそのシート・クッション２２に前倒しおよび角度調整可能に支持される。勿論、その左右のリクライニング・デバイス２７、２８はロック解除ストラップ２９の操作でロック解除される。
そのシート・クッション２２は、その左シート据付けレール型インナーおよびアウター・フロア・ブラケット１１、１２にヒンジ結合された左右のフロント・レッグ３０、３１にクッション前端をヒンジ結合し、そして、その左右のリクライニング・デバイス２７、２８を活用してその左シート据付けレール型インナーおよびアウター・フロア・ブラケット１１、１２でそのバンのそのボディ・フロアに据え付けられる。
【００１２】
一方、その右シートでは、そのシート・バックが、左右のＬ字形ヒンジ・ブラケット（図示せず）でそのシート・クッションにヒンジ結合され、そして、左右のリクライニング・デバイス（図示せず）でそのフロア・ブラケット・セット１０の右シート据付けレール型インナーおよびアウター・フロア・ブラケット１３、１４に連結されてそのシート・クッションに前倒しおよび角度調整可能に支持される。勿論、その左右のリクライニング・デバイスは、ロック解除ストラップ（図示せず）の操作でロック解除される。
そのシート・クッションは、その右シート据付けレール型インナーおよびアウター・フロア・ブラケット１３、１４にヒンジ結合された左右のフロント・レッグ（図示せず）にクッション前端をヒンジ結合し、そして、その左右のリクライニング・デバイスを活用してその右シート据付けレール型インナーおよびアウター・フロア・ブラケット１３、１４でそのバンのそのボディ・フロアに据え付けられる。
【００１３】
そのように活用されるこのフロア・ブラケット・セット１０では、その左シート据付けレール型インナーおよびアウター・フロア・ブラケット１１、１２もその右シート据付けレール型インナーおよびアウター・フロア・ブラケット１３、１４も所定の厚さの鋼板からプレス成形され、さらに具体的には、左シート据付けレール型インナー・フロア・ブラケット１１およびその右シート据付けレール型アウター・フロア・ブラケット１４と、その左シート据付けレール型アウター・フロア・ブラケット１２およびその右シート据付けレール型インナー・フロア・ブラケット１３とで外形が、同じ形状に成形され、その左および右シート据付けレール型インナー・フロア・ブラケット１１、１３が、レール長さ方向で互いに同じ位置に位置決め穴１７を明け、その左および右シート据付けレール型アウター・フロア・ブラケット１２、１４が、レール長さ方向においてその左および右シート据付けレール型インナー・フロア・ブラケット１１、１３のその位置決め穴１７から適宜にずらされて互いに同じ位置に位置決め穴１８を明ける。
【００１４】
そして、この場合、その左シート据付けレール型インナー・フロア・ブラケット１１およびその右シート据付けレール型アウター・フロア・ブラケット１４と、その左シート据付けレール型アウター・フロア・ブラケット１２およびその右シート据付けレール型インナー・フロア・ブラケット１３とで外形が、前後のフロア締付け穴１５、１６の形状以外を同じ形状に成形される。
その左および右シート据付けレール型インナー・フロア・ブラケット１１、１３でその前後のフロア締付け穴１５、１５が小さく穴明けされ、一方、その左および右シート据付けレール型アウター・フロア・ブラケット１２、１４ではその前後のフロア締付け穴１６、１６が大きく穴明けられた。
【００１５】
したがって、このフロア・ブラケット・セット１０では、組立て時、組付けが簡単になって誤組付けが回避されて防止され、その作業性が向上され、そして、その左シート据付けレール型インナーおよびアウター・フロア・ブラケット１１、１２およびその右シート据付けレール型インナーおよびアウター・フロア・ブラケット１３、１４がその位置決め穴１８、１８、１８、１８をそのボディ・フロアの起立された位置決めピン（図示せず）にはめ合わせて据付け位置に簡単に位置決めされ、その据付け作業が簡単になってその作業性が向上される。
【００１６】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１７】
上述から理解されるように、この発明の左右シートのフロア据付けに用いるフロア・ブラケット・セットは、左シート据付けレール型インナー・フロア・ブラケットおよび右シート据付けレール型アウター・フロア・ブラケットと、左シート据付けレール型アウター・フロア・ブラケット・および右シート据付けレール型インナー・フロア・ブラケットとで外形が、同じ形状に成形され、その左および右シート据付けレール型インナー・フロア・ブラケットが、レール長さ方向で互いに同じ位置に位置決め穴を明け、その左および右シート据付けレール型アウター・フロア・ブラケットが、レール長さ方向においてその左および右シート据付けレール型インナー・フロア・ブラケットのその位置決め穴から適宜にずらされて互いに同じ位置に位置決め穴を明けるので、この発明の左右シートのフロア据付けに用いるフロア・ブラケット・セットでは、組立て時、組付けが簡単になって誤組付けが回避されて防止され、その作業性が向上され、そして、据付け作業が簡単になってその作業性も向上され、その結果、自動車シート、特に、バンやワゴンのリア・シートにとって非常に有用で実用的である。
【符号の説明】
【００１８】
１０  左右シートのフロア据付けに用いるフロア・ブラケット・セット
１１  左シート据付けレール型インナー・フロア・ブラケット
１２  左シート据付けレール型アウター・フロア・ブラケット
１３  右シート据付けレール型インナー・フロア・ブラケット
１４  右シート据付けレール型アウター・フロア・ブラケット
１５  フロア締付け穴
１６  フロア締付け穴
１７  位置決め穴
１８  位置決め穴
２０  サード・シート
２１  左シート
２２  シート・クッション
２３  シート・バック
２４  ヘッドレスト
２５  左のＬ字形ヒンジ・ブラケット
２６  右のＬ字形ヒンジ・ブラケット
２７  左のリクライニング・デバイス
２８  右のリクライニング・デバイス
２９  ロック解除ストラップ
３０  左のフロント・レッグ
３１  右のフロント・レッグ
【図１】
0005944208.tif 000002
【図２】
0005944208.tif 000003